(57)【要約】【課題】二重に吊り下げた２枚のカーテンの表裏を反転しないで前後に入れ替えたり、前後を入れ替えずに表裏のみ反転することを容易に行えるようにする。【解決手段】前後に平行に配置される直線状の２本のレール本体１と２を長手方向の中央部を短い直線状の接続部３で接続し、レール本体１と２及び接続部３全体にわたって溝４を設けて、複数の吊り具をこの溝４に沿って移動できるようにレール本体１と２内に設け、２枚のカーテンに設けられているフックを前記各吊り具に引っ掛けることで２枚のカーテンをレール本体１、２に二重に吊り下げるものとした。【選択図】図１
2011161108.tif 000002
【特許請求の範囲】
【請求項１】
前後に配置された２本のレール本体を長手方向の途中で接続部により接続し、下面側に前記レール本体及び接続部全体にわたって溝を設け、前記溝に沿って移動するカーテンを吊り下げる吊り具が前記接続部により前後のレール本体間を移動できるようにしたことを特徴とするカーテンレール。
【請求項２】
請求項１記載のカーテンレールにおいて、
前記２本のレール本体は直線状であって平行に配置され、前記接続部は長さの短い直線状としたことを特徴とするカーテンレール。
【請求項３】
請求項１記載のカーテンレールにおいて、
前記２本のレール本体は一方を直線状、別の一方を山形にして、その山形に頂点部分を接続部として前記直線状のレール本体に接続したことを特徴とするカーテンレール。
【請求項４】
請求項１記載のカーテンレールにおいて、
前記２本のレール本体は直線状であって平行に配置され、前記接続部はＸ形状としたことを特徴とするカーテンレール。
【請求項５】
請求項２乃至請求項４のいずれか１項記載のカーテンレールにおいて、
２本のレール本体の両端を前記溝と同様の溝を有する半円形、Ｕ字形、またはコの字形の接続部で接続したことを特徴とするカーテンレール。
【請求項６】
請求項１記載のカーテンレールにおいて、
前記２本のレール本体は直線状であって平行に配置され、そのうちの一方のレール本体の長さを他方のレール本体の長さより短くして、その一端を直線状の短い接続部により長いほうのレール本体の途中に接続したことを特徴とするカーテンレール。
【請求項７】
Ｈ形に形成され、４つの端部に各々レールを接続することでカーテンレールを構成することが可能なカーテンレール用継ぎ手。
【請求項８】
直線部分と山形部分を中央部で接続した形状に形成され、４つの端部に各々レールを接続することでカーテンレールを構成することが可能なカーテンレール用継ぎ手。
【請求項９】
前後の２本の直線部分をＸ状部分で接続した形状に形成され、４つの端部に各々レールを接続することでカーテンレールを構成することが可能なカーテンレール用継ぎ手。
【請求項１０】
Ｕ字形またはコの字形に形成され、前記請求項７乃至請求項９の何れか１つのカーテンレール用継ぎ手に接続された２本のレールの端部を接続することを特徴とするカーテンレール用継ぎ手。
【請求項１１】
ユの字形に形成され、３つの端部に各々レールを接続することでカーテンレールを構成することが可能なカーテンレール用継ぎ手。
【発明の詳細な説明】
【技術分野】
【０００１】
本発明は、カーテンレールに関するもので、特に吊り下げたカーテンの表裏反転等の変更が可能なカーテンレールに関するものである。
【背景技術】
【０００２】
住宅やオフィス等において、表面と裏面で絵柄の異なるカーテンを手軽に表裏反転等の変更ができれば、部屋のイメージを手軽に変えることができ、非常に有意義である。
【０００３】
従来のカーテンレールとして、例えば、特許文献１に開示されたものがある。このカーテンレールは、直線状の２本のレール本体を平行に並べて、その２本のレール本体の片端または両端をＵ字形のレールで接続したもので、一方のレール本体に吊り下げたカーテンをＵ字形のレールを利用してもう一方のレール本体に移動させることで、カーテンを容易に表裏反転させることができ、これにより表面と裏面の絵柄が異なるカーテンを吊り下げ、表裏を反転することで気分転換を図ることができるものとなっている。
【先行技術文献】
【特許文献】
【０００４】
【特許文献１】特開２００４−３１３７１３号公報
【発明の概要】
【発明が解決しようとする課題】
【０００５】
しかしながら、上述した従来の技術では、以下の問題がある。
【０００６】
上記文献に示されるカーテンレールの場合、直線状の２本のレール本体を有することから、例えば布地のカーテン（ドレープカーテンとも言い、主として織物からなり、目は詰まっており、視線を完全に遮り、光をほとんど透過させない性質を有する）とレースのカーテン（主として編物からなり、目は粗く、視線を完全に遮らず、透光性を有する）を二重に、つまり２本のレール本体に布地のカーテンとレースのカーテンを各々吊り下げたり、デザインや絵柄の異なる２枚のカーテンを二重に吊り下げたりすることが可能であるだけでなく、カーテンを前後に入れ替えることも可能であるが、例えば、室内側から見て手前に布地のカーテン、後側にレースのカーテンが吊り下げられているとき、手前をレースのカーテン、後側を布地のカーテンに入れ替える場合、前後の入れ替えは容易に行うことができるものの、カーテンそのものは表裏が反転するため、表裏のデザインや絵柄が異なるカーテンでは、室内から見えるデザインや絵柄をそのままにして手前をレースのカーテンに入れ替えを行いたいという希望には応えられず、そうするためには布地のカーテンをレールに設けられている吊り具から取外して裏返した後、再びレール本体に取付ける必要が生じ、手間がかかるという問題がある。
【０００７】
また、デザインや絵柄の異なる２枚のカーテンを二重に吊り下げた状態で、表裏を反転することなく前後を入れ替えたい場合、あるいは前後を入れ替えずに表裏を反転したい場合は、２枚ともカーテンを取外して裏返した後、再び吊り具に取付ける必要が生じるため、倍の手間がかかるという問題がある。
【０００８】
本発明は、このような問題を解決することを課題とする。
【課題を解決するための手段】
【０００９】
そのため、本発明のカーテンレールは、前後に配置された２本のレール本体を長手方向の途中で接続部により接続し、下面側に前記レール本体及び接続部全体にわたって溝を設け、前記溝に沿って移動するカーテンを吊り下げる吊り具が前記接続部により前後のレール本体間を移動できるようにしたことを特徴とする。
【発明の効果】
【００１０】
このようにした本発明は、前後に配置された２本のレール本体に２枚のカーテンを二重に吊り下げた状態で、表裏を反転しない前後の入れ替えや、前後を入れ替えずに表裏のみ反転する場合は、カーテンレールからのカーテンの取外しや、再取付けを行うという手間をかけることなく、実行することができるという効果が得られる。
【図面の簡単な説明】
【００１１】
【図１】カーテンレールの第１の実施例を示す平面図
【図２】２枚のカーテンを二重に吊り下げた状態を示す平面図
【図３】第１の実施例の作用を示す平面図
【図４】第１の実施例の作用を示す平面図
【図５】左右に分割されたカーテンを二重に吊り下げた例を示す平面図
【図６】カーテンレールの第２の実施例を示す平面図
【図７】カーテンレールの第３の実施例を示す平面図
【図８】カーテンレールの第４の実施例を示す平面図
【図９】カーテンレールの第５の実施例を示す平面図
【図１０】第５の実施例の作用を示す平面図
【図１１】第５の実施例の作用を示す平面図
【図１２】カーテンレール用継ぎ手の実施例を示す平面図
【発明を実施するための形態】
【００１２】
以下、図面を参照して本発明によるカーテンレール及びカーテンレール用継ぎ手の実施例を説明する。
【実施例１】
【００１３】
図１は第１の実施例を示す平面図で、（ａ）は上面側、（ｂ）は下面側から見た図である。図２は２枚のカーテンを二重に吊り下げた状態を示す平面図である。
【００１４】
図において１と２は前後に平行に配置された直線状のレール本体、３はレール本体１と２を長手方向のほぼ中央部で接続するように設けられた長さの短い直線状の接続部で、これらは図示しない支持金具により框や内壁面平行に支持されたり、天井から吊り下げられて支持されている。レール本体１と２及び接続部３には、図１（ｂ）に示したように全体にわたって溝４が設けられていて、ランナーと称する図示しない複数の吊り具がこの溝４に沿って移動できるようにレール本体１と２内に設けられており、図２に示したように２枚のカーテン５、６に設けられているフックを前記各吊り具に引っ掛けることでカーテン５、６をレール本体１、２に二重に吊り下げるものとなっている。
【００１５】
尚、レール本体１と２の各端部には吊り具の抜け落ちを防止するストッパが設けられている。また、接続部３は必ずしもレール本体１、２の長手方向中央部に設ける必要はなく、長手方向の任意の位置に設ければよいが、カーテン５、６を縮めたとき、接続部３を境にレール本体１、２の左右のいずれにも縮めたカーテン５、６が収まるように位置を配慮する必要がある。
【００１６】
図３及び図４は上述した構成による第１の実施例の作用を示す平面図で、ここではレール本体１を室内から見て手前側、レール本体２を後側とし、また接続部３を境にして１ａをレール本体１の左側部分、１ｂをレール本体１の右側部分、２ａをレール本体２の左側部分、２ｂをレール本体２の右側部分として説明する。
【００１７】
図２に示したようにカーテン５が手前側、カーテン６が後側に吊り下げられている状態から、この２枚のカーテン５、６を反転することなく前後を入れ替える場合、まずカーテン５、６のそれぞれの一端を図２に示した矢印Ａ方向に移動させることにより、図３（ａ）に示したようにカーテン５、６をそれぞれレール本体１の右側部分１ｂとレール本体２の右側部分２ｂに片寄らせて縮めた後、レール本体１の右側部分１ｂに寄せられているカーテン５を矢印Ｂに示したように接続部３を通してレール本体２の左側部分２ａに移動させ、またレール本体２の右側部分２ｂに寄せられているカーテン６を矢印Ｃに示したように接続部３を通してレール本体１の左側部分１ａに移動させる。
【００１８】
これにより図３（ｂ）に示したようにカーテン５は表裏を反転することなく後側に移動し、カーテン６は表裏を反転することなく手前側に移動するので、カーテン５、６の他端をそれぞれ矢印Ａ方向に移動させ、図３（ｃ）に示したようにカーテン５、６をそれぞれレール本体１、２全体にわたって伸ばすことで、表裏を反転することなくカーテン５、６を前後に入れ替えることができる。
【００１９】
尚、上記の説明では、カーテン５、６をそれぞれレール本体１、２の右側部分１ｂ、２ｂに寄せてから、カーテン５をレール本体２の左側部分２ａに、またカーテン６をレール本体１の左側部分１ａに移動させ、その後カーテン５、６をそれぞれレール本体１、２全体にわたって伸ばすようにしたが、カーテン５、６をそれぞれレール本体１、２の左側部分１ａ、２ａに寄せてから、カーテン５をレール本体２の右側部分２ｂに、またカーテン６をレール本体１の右側部分１ｂに移動させ、その後カーテン５、６をそれぞれレール本体１、２全体にわたって伸ばすようにしても表裏を反転することなくカーテン５、６を前後に入れ替えることが可能である。
【００２０】
２枚のカーテン５、６の表裏を反転させて前後を入れ替える場合には、カーテン５の他端を図２に示した矢印Ａと逆の矢印Ｆ方向に移動させ、カーテン６の一端を図２に示した矢印Ａ方向に移動させることにより、図４（ａ）に示したようにカーテン５をレール本体１の左側部分１ａに片寄らせて縮め、カーテン６をレール本体２の右側部分２ｂ側に片寄らせて縮めた後、レール本体１の左側部分１ａに寄せられているカーテン５を矢印Ｄに示したように接続部３を通してレール本体２の左側部分２ａに移動させ、またレール本体２の右側部分２ｂに寄せられているカーテン６を矢印Ｅに示したように接続部３を通してレール本体１の右側部分１ｂに移動させる。
【００２１】
これにより図４（ｂ）に示したようにカーテン５は表裏が反転して後側に移動し、カーテン６は表裏が反転して手前側に移動するので、カーテン５の他端を矢印Ａ方向に移動させ、カーテン６の一端を矢印Ｆ方向に移動させて、カーテン５、６をそれぞれレール本体１、２全体にわたって伸ばすことで、表裏を反転させてカーテン５、６を前後に入れ替えることができる。
【００２２】
尚、上記の説明では、カーテン５をレール本体１の左側部分１ａに片寄らせて縮め、カーテン６をレール本体２の右側部分２ｂ側に片寄らせて縮めてから、カーテン５を接続部３を通してレール本体２の左側部分２ａに移動させ、またカーテン６を接続部３を通してレール本体１の右側部分１ｂに移動させ、その後カーテン５、６をそれぞれレール本体１、２全体にわたって伸ばすようにしたが、カーテン５をレール本体１の右側部分１ｂに片寄らせて縮め、カーテン６をレール本体２の左側部分２ａ側に片寄らせて縮めてから、カーテン５を接続部３を通してレール本体２の右側部分２ｂに移動させ、またカーテン６を接続部３を通してレール本体１の左側部分１ａに移動させて、カーテン５、６をそれぞれレール本体１、２全体にわたって伸ばすことで、表裏を反転させてカーテン５、６を前後に入れ替えることができる。
【００２３】
また、図３に示したカーテン５、６の移動手順と、図４に示したカーテン５、６の移動手順とを組み合わせることで、カーテン５、６の前後を入れ替えつつ、一方のみを表裏反転したり、カーテン５、６の前後を入れ替えることなく一方のみを表裏反転したりすることも可能である。
【００２４】
図５は左右に分割されたカーテン７ａ、７ｂと８ａ、８ｂをレール本体１、２に二重に吊り下げた例を示す平面図である。このように左右に分割されたカーテン７ａ、７ｂと８ａ、８ｂの場合、前記と同様に表裏の反転をしない前後の入れ替えや、表裏を反転しての前後の入れ替えを行うことが可能であるばかりでなく、カーテン７ａと８ａのみ、またカーテン７ｂと８ｂのみの前後の入れ替えや表裏反転、カーテン７ａ、７ｂ、８ａ、８ｂ単独での表裏反転、カーテン７ａと７ｂ、あるいはカーテン８ａ、８ｂの左右の入れ替え等を行うことができるものとなる。
【００２５】
以上説明したように、第１の実施例では、前後に配置される直線状の２本のレール本体を長手方向の任意の位置を接続部で接続して、前後のレール本体にそれぞれ吊り下げられたカーテンを接続部によりレール本体間を移動できるようにしているため、レースと布地のカーテン、あるいはデザインや絵柄の異なる２枚のカーテンを二重に吊り下げた状態で、表裏を反転することなく前後を入れ替えたい場合、あるいは前後を入れ替えずに表裏を反転したい場合は、カーテンレールからのカーテンの取外しや、再取付けを行うという手間をかけることなく、実行することができるという効果が得られる。
【００２６】
また、表裏の反転と前後の入れ替え、あるいは前後を入れ替えない表裏の反転も、カーテンの移動のみで行うことが可能であり、更に、前後のレール本体にそれぞれ吊り下げられたカーテンが左右に分割されたものある場合は、左右の入れ替えも可能であり、利用者の希望に応じて様々な組み合わせと、変更を実現できるという効果も得られる。
【実施例２】
【００２７】
図６は本発明の第２の実施例を示す平面図で、（ａ）は上面側、（ｂ）は下面側から見た図である。この第２の実施例は、前後に平行に配置された直線状のレール本体１と２の両端をＵ字形（またはコの字形）の接続部９、１０で接続したもので、レール本体１と２を長手方向の途中で接続部３により接続している点は第１の実施例と同様である。接続部９、１０にはレール本体１と２に設けられた溝４と同じ溝４が設けられていて、カーテンを吊り下げる吊り具が通過できるようになっている。
【００２８】
このような構成による第２の実施例においても、第１の実施例と同様にカーテン５、６を二重に吊り下げた場合、表裏を反転させることなく前後に入れ替えたり、表裏を反転させてカーテン５、６を前後に入れ替えることができる他、カーテン５、６の前後を入れ替えつつ、一方のみを表裏反転したり、カーテン５、６の前後を入れ替えることなく一方のみを表裏反転したりすることも可能であり、その際レール本体１と２の両端の接続部９、１０を利用してカーテン５、６の前後の入れ替えや表裏反転を行うことができるので、効率の良いカーテンの移動が可能となる。
【００２９】
また、図５に示した左右に分割されたカーテン７ａ、７ｂと８ａ、８ｂをレール本体１、２に二重に吊り下げた場合も、同様に表裏の反転をしない前後の入れ替えや、表裏を反転しての前後の入れ替えを行うことが可能であり、カーテン７ａと８ａのみ、またカーテン７ｂと８ｂのみの前後の入れ替えや表裏反転、カーテン７ａ、７ｂ、８ａ、８ｂ単独での表裏反転、カーテン７ａと７ｂ、あるいはカーテン８ａ、８ｂの左右の入れ替え等を行うことができる。この場合もレール本体１と２の両端の接続部９、１０を利用してカーテン５、６の前後の入れ替えや表裏反転を行うことができるので、効率の良いカーテンの移動が可能となる。
【００３０】
従って、第２の実施例では、第１の実施例と同様の効果が得られ、しかもこの第２の実施例では、レール本体の両端を接続している接続部を利用してカーテンの前後の入れ替えや表裏反転を行うことができるので、第１の実施例におけるカーテンの移動操作と組み合わせることで、操作がより容易になるという効果も得られる。
【実施例３】
【００３１】
図７は本発明の第３の実施例を示す平面図で、（ａ）は上面側、（ｂ）は下面側から見た図である。この第３の実施例は、手前側のレール本体１を中央部で山形に曲げた形状に形成すると共に後側のレール本体２を直線状として、レール本体１の山形部の頂点をレール本体２に接続して接続部３とし、レール本体１と２の両端を半円形（Ｕ字形、コの字形でもよい）の接続部９、１０で接続したもので、レール本体１と２及び接続部３、９、１０には全体にわたって溝４が設けられ、カーテンを吊り下げる吊り具が通過できるようになっている。
【００３２】
このような構成による第３の実施例においても、第１、第２の実施例と同様にカーテン５、６を二重に吊り下げた場合、表裏を反転させることなく前後に入れ替えたり、表裏を反転させてカーテン５、６を前後に入れ替えることができる他、カーテン５、６の前後を入れ替えつつ、一方のみを表裏反転したり、カーテン５、６の前後を入れ替えることなく一方のみを表裏反転したりすることも可能であり、その際レール本体１と２の両端の接続部９、１０を利用してカーテン５、６前後の入れ替えや表裏反転を行うことができるので、効率の良いカーテンの移動が可能となる。
【００３３】
また、図５に示した左右に分割されたカーテン７ａ、７ｂと８ａ、８ｂをレール本体１、２に二重に吊り下げた場合も、同様に表裏の反転をしない前後の入れ替えや、表裏を反転しての前後の入れ替えを行うことが可能であり、カーテン７ａと８ａのみ、またカーテン７ｂと８ｂのみの前後の入れ替えや表裏反転、カーテン７ａ、７ｂ、８ａ、８ｂ単独での表裏反転、カーテン７ａと７ｂ、あるいはカーテン８ａ、８ｂの左右の入れ替え等を行うことができる。この場合もレール本体１と２の両端の接続部９、１０を利用してカーテン５、６前後の入れ替えや表裏反転を行うことができるので、効率の良いカーテンの移動が可能となる。
【００３４】
従って、この第３の実施例では、第２の実施例と同様の効果が得られ、しかもこの第３の実施例では、手前側のレール本体を中央部で山形に曲げた形状に形成してあるので、手前側のレール本体に吊り下げられたカーテンが山形に沿った斜面になり、カーテンをレール全体にわたって伸ばすことで、視線をさえぎりながら、通気性を向上させることができるという副次的な効果も期待できる。
【実施例４】
【００３５】
図８は本発明の第４の実施例を示す平面図で、（ａ）は上面側、（ｂ）は下面側から見た図である。この第４の実施例は、前後に平行に配置された直線状のレール本体１と２の長手方向の途中部分をＸ形状の接続部３で接続すると共に、レール本体１と２の両端を半円形（Ｕ字形、コの字形でもよい）の接続部９、１０で接続したもので、レール本体１と２及び接続部３、９、１０には全体にわたって溝４が設けられ、カーテンを吊り下げる吊り具が通過できるようになっている。
【００３６】
このような構成による第４の実施例においても、第１、第２の実施例と同様にカーテン５、６を二重に吊り下げた場合、表裏を反転させることなく前後に入れ替えたり、表裏を反転させてカーテン５、６を前後に入れ替えることができる他、カーテン５、６の前後を入れ替えつつ、一方のみを表裏反転したり、カーテン５、６の前後を入れ替えることなく一方のみを表裏反転したりすることも可能であり、その際レール本体１と２の両端の接続部９、１０を利用してカーテン５、６前後の入れ替えや表裏反転を行うことができるので、効率の良いカーテンの移動が可能となる。
【００３７】
また、図５に示した左右に分割されたカーテン７ａ、７ｂと８ａ、８ｂをレール本体１、２に二重に吊り下げた場合も、同様に表裏の反転をしない前後の入れ替えや、表裏を反転しての前後の入れ替えを行うことが可能であり、カーテン７ａと８ａのみ、またカーテン７ｂと８ｂのみの前後の入れ替えや表裏反転、カーテン７ａ、７ｂ、８ａ、８ｂ単独での表裏反転、カーテン７ａと７ｂ、あるいはカーテン８ａ、８ｂの左右の入れ替え等を行うことができる。この場合もレール本体１と２の両端の接続部９、１０を利用してカーテン５、６前後の入れ替えや表裏反転を行うことができるので、効率の良いカーテンの移動が可能となる。
【００３８】
従って、第４の実施例でも、第２の実施例と同様の効果が得られる。
【実施例５】
【００３９】
図９は本発明の第５の実施例を示す平面図で、（ａ）は上面側、（ｂ）は下面側から見た図である。この第５の実施例は、前後に平行に配置された直線状のレール本体１と２のうち、手前側のレール本体１の長さを後側のレール本体２の長さの例えばほぼ半分として、レール本体１の一端とレール本体２の長手方向のほぼ中央部を長さの短い直線状の接続部３で接続したもので、レール本体１と２及び接続部３には全体にわたって溝４が設けられ、カーテンを吊り下げる吊り具が移動できるようになっている。
【００４０】
図１０及び図１１は上述した構成による第５の実施例の作用を示す平面図で、ここでは後側のレール本体２を接続部３を境にして２ａをレール本体２の左側部分、２ｂをレール本体２の右側部分として説明する。
【００４１】
図１０（ａ）に示したように後側のレール本体２に１枚のカーテン６が吊り下げられている状態から、カーテン６の表裏を反転させる場合、カーテン６の他端を矢印Ｆ方向に移動させることにより、図１０（ｂ）に示したようにカーテン６をレール本体２の左側部分２ａに片寄らせて縮めた後、カーテン６を矢印Ｇに示したように接続部３を通してレール本体１に移動させ、図１０（ｃ）に示した状態にする。
【００４２】
これによりカーテン６は表裏が反転するので、更にカーテン６を矢印Ｈに示したように接続部３を通して図１０（ｄ）に示したようにレール本体２右側部分２ｂに移動させ、その後、カーテン６の一端を矢印Ｆ方向に移動させ、レール本体２全体にわたって伸ばすことで、カーテン６の表裏を反転させることができる。
【００４３】
また、図１１（ａ）に示したように後側のレール本体２に左右に分割されたカーテン８ａ、８ｂが吊り下げられている状態から、カーテン８ａ、８ｂの表裏を反転することなく左右を入れ替える場合、カーテン８ａを矢印Ａ方向に移動させることにより、図１１（ｂ）に示したようにカーテン８ａ、８ｂをレール本体２の右側部分２ｂに片寄らせて縮めた後、カーテン８ａを矢印Ｃに示したように接続部３を通してレール本体１に移動させ、図１１（ｃ）に示した状態にする。
【００４４】
これによりカーテン８ａは表裏が反転することなくレール本体１に移動するので、カーテン８ｂを矢印Ｆに示したようにレール本体２の左側部分２ａに移動させて、図１１（ｄ）に示したように左側部分２ａの全体にわたって伸ばした後、カーテン８ａを矢印Ｈで示したように接続部３を通してレール本体２の右側部分２ｂに移動させ、右側部分２ｂ全体にわたって伸ばすことで、カーテン８ａ、８ｂの表裏を反転することなく左右を入れ替えることができる。
【００４５】
尚、この第５の実施例では、図１０と同様の手順によりカーテン８ａ、８ｂを移動させることで、カーテン８ａ、８ｂの表裏を反転して左右を入れ替えることも可能である。
【００４６】
このように第５の実施例は、前後に配置される直線状の２本のレール本体のうち、手前側のレール本体の長さを後側のレール本体の長さの例えばほぼ半分として、手前側のレール本体の一端と後側のレール本体の長手方向のほぼ中央部を長さの短い直線状の接続部で接続して、後側レール本体に吊り下げられたカーテンを接続部によりレール本体間を移動できるようにしているため、カーテンの表裏反転を行うことができる他、左右に分割されたカーテンの場合は、表裏を反転することなく左右の入れ替えを行うことができるという効果が得られる。
【実施例６】
【００４７】
図１２（ａ）〜（ｄ）は本発明によるカーテンレール用継ぎ手の実施例の平面図で、下面側を上にして示している。まず、図１２（ａ）はＨ字形に形成した継ぎ手１１と、Ｕ字形（またはコの字形）に形成した継ぎ手１２を示し、それぞれ全体に溝４が設けられており、Ｈ型の継ぎ手１１の４つの端部に各々直線状のレールを嵌合等の方法により接続することで図１に示した第１の実施例のカーテンレールを構成することができ、更にその直線状レールつまり第１の実施例の前後のレール本体１、２の両端部をＵ字形（またはコの字形）の継ぎ手１２で接続することにより図６に示した第２の実施例のカーテンレールを構成することができる。
【００４８】
図１２（ｂ）は直線部分と山形部分を中央部で接続した形状に形成した継ぎ手１３を示し、全体に溝４が設けられており、４つの端部に各々直線状のレールを嵌合等の方法により接続することでカーテンレールを構成することができ、更にその前後のレールの両端部を図１２（ａ）に示したＵ字形（またはコの字形）の継ぎ手１２で接続することにより図７に示した第３の実施例のカーテンレールを構成することができる。
【００４９】
図１２（ｃ）は前後の２本の直線部分をＸ状部分で接続した形状に形成した継ぎ手１４を示し、全体に溝４が設けられており、４つの端部に各々直線状のレールを嵌合等の方法により接続することでカーテンレールを構成することができ、更にその前後のレールの両端部を図１２（ａ）に示したＵ字形（またはコの字形）の継ぎ手１２で接続することにより図８に示した第４の実施例のカーテンレールを構成することができる。
【００５０】
図１２（ｄ）はユの字形に形成した継ぎ手１５を示し、全体に溝４が設けられており、３つの端部に各々直線状のレールを嵌合等の方法により接続することで図９に示した第５の実施例のカーテンレールを構成することができる。
【００５１】
以上説明した実施例によれば、継ぎ手の各々の端部に直線状のレールを接続したり、そのレールの両端をＵ字形の継ぎ手で接続することにより第１〜第５の実施例のカーテンレールを容易に実現でき、接続する直線状のレールは市販品を使用できるので安価なものになるという効果得られる。
【００５２】
尚、上述した各実施例において、溝４のコーナー部にはカーテン用の吊り具がスムーズに曲がって移動できるようにアール（まるみ）を付けておくことが望ましく、その場合アールにより溝幅が広がることで吊り具が脱落することを防ぐために必要個所に突起（張出し部）を形成して一定の溝幅を保つようにするとよい。
【符号の説明】
【００５３】
１、２      レール本体
３          接続部
４          溝
５、６      カーテン
７ａ、７ｂ  カーテン
８ａ、８ｂ  カーテン
９、１０    接続部
１１〜１５  継ぎ手
【図１】
2011161108.tif 000003
【図２】
2011161108.tif 000004
【図３】
2011161108.tif 000005
【図４】
2011161108.tif 000006
【図５】
2011161108.tif 000007
【図６】
2011161108.tif 000008
【図７】
2011161108.tif 000009
【図８】
2011161108.tif 000010
【図９】
2011161108.tif 000011
【図１０】
2011161108.tif 000012
【図１１】
2011161108.tif 000013
【図１２】
2011161108.tif 000014